(57)【要約】【課題】液晶等の電気光学装置において、画像信号の極性が反転する際に生じるカップリングノイズによる画素電圧の変動を低減し、高品質な画像を表示する。【解決手段】電気光学装置は、複数の画素電極９ａと、複数の走査線１１ａ及び複数のデータ線６ａと、１水平走査期間毎に電位が共通電位ＬＣＣに対して極性反転する画像信号ＶＩＤが供給される画像信号線６と、画像信号ＶＩＤをサンプリング信号Ｓｉに応じて複数のデータ線６ａに夫々供給するサンプリング回路７とを備える。更に、サンプリング信号Ｓｉを出力するデータ線駆動回路１０１と、複数の画素電極９ａに電気的に接続された複数のＴＦＴ３０と、複数の走査線１１ａに、画像信号ＶＩＤが極性反転するタイミングに対して所定期間ΔＴ２だけずれたタイミングでＴＦＴ３０をオン状態からオフ状態に切り換える走査信号Ｇｉを供給する走査線駆動回路１０４を備える。【選択図】図１１
2007279625.tif 000002
【特許請求の範囲】
【請求項１】
基板上に、
複数の画素電極と、
該複数の画素電極が設けられた画素領域に互いに交差するように配線された複数の走査
線及び複数のデータ線と、
１水平走査期間毎に電位が所定電位に対して高位側の正極性と低位側の負極性とで極性
反転する画像信号が供給される画像信号線と、
該画像信号線に供給される画像信号をサンプリング信号に応じて前記複数のデータ線に
夫々供給する複数のサンプリングスイッチを含んでなるサンプリング回路と、
前記複数のデータ線に対して前記画像信号を供給すべきタイミングで前記サンプリング
信号を出力するデータ線駆動回路と、
前記複数の走査線及び複数のデータ線に電気的に接続されており、前記複数のデータ線
から前記複数の画素電極へ夫々供給される前記画像信号をスイッチング制御する複数のス
イッチング素子と、
前記複数の走査線の各々に、前記画像信号が極性反転するタイミングに対して所定期間
だけずれたタイミングで前記スイッチング素子をオン状態からオフ状態に切り換える走査
信号を供給する走査線駆動回路と
を備えたことを特徴とする電気光学装置。
【請求項２】
前記スイッチング素子は、前記走査信号の波形が立ち下がるタイミングで前記オフ状態
となり、
前記立ち下がるタイミングは、前記極性反転するタイミングよりも前であることを特徴
とする請求項１に記載の電気光学装置。
【請求項３】
前記スイッチング素子は、前記走査信号の波形が立ち下がるタイミングで前記オフ状態
となり、
前記立ち下がるタイミングは、前記極性反転するタイミングよりも後であることを特徴
とする請求項１に記載の電気光学装置。
【請求項４】
前記極性反転するタイミングよりも前記所定期間だけ前に波形が立ち下がるイネーブル
信号を、前記走査線駆動回路に供給するイネーブル信号線を備え、
前記走査線駆動回路は、所定周期のクロック信号に基づいて複数の段から夫々転送信号
を順次出力するシフトレジスタと、前記順次出力された転送信号の各パルスを、前記イネ
ーブル信号を用いて整形する論理回路とを含む
ことを特徴とする請求項２に記載の電気光学装置。
【請求項５】
前記立ち下がるタイミングを規定する所定周期のクロック信号が供給されるクロック信
号線と、
前記クロック信号線と前記走査線駆動回路との間に電気的に接続された抵抗体と
を備えたことを特徴とする請求項３に記載の電気光学装置。
【請求項６】
基板上に、複数の画素電極と、該複数の画素電極が設けられた画素領域に互いに交差す
るように配線された複数の走査線及び複数のデータ線と、画像信号が供給される画像信号
線と、該画像信号線に供給される画像信号をサンプリング信号に応じて前記複数のデータ
線に夫々供給する複数のサンプリングスイッチを含んでなるサンプリング回路と、前記複
数のデータ線に対して前記サンプリング信号を出力するデータ線駆動回路と、前記複数の
走査線及び複数のデータ線に電気的に接続されており、前記複数のデータ線から前記複数
の画素電極へ夫々供給される前記画像信号をスイッチング制御する複数のスイッチング素
子と、前記複数の走査線の各々に走査信号を出力する走査線駆動回路とを備えた電気光学
装置を駆動する電気光学装置の駆動方法であって、
前記画像信号を、１水平走査期間毎に電位が所定電位に対して高位側の正極性と低位側
の負極性とで極性反転するように、前記画像信号線に供給する過程と、
前記複数のスイッチング素子が、前記複数の画素電極に前記画像信号を供給すべきタイ
ミングで、オン状態となるように、且つ、該オン状態とされたスイッチング素子が、前記
極性反転するタイミングに対して所定期間だけずれたタイミングで、オフ状態となるよう
に、前記走査信号を、前記複数の走査線の各々を介して前記複数のスイッチング素子に供
給する過程と
を含むことを特徴とする電気光学装置の駆動方法。
【請求項７】
請求項１から５のいずれか一項に記載の電気光学装置を具備してなる電子機器。
【発明の詳細な説明】
【技術分野】
【０００１】
本発明は、例えば液晶装置等の電気光学装置及びその駆動方法、並びに該電気光学装置
を備えた、例えば液晶プロジェクタ等の電子機器の技術分野に関する。
【背景技術】
【０００２】
この種の電気光学装置では、基板上に画素電極等の表示用電極や、これを駆動するため
のデータ線駆動回路、走査線駆動回路等の駆動回路が設けられる。その駆動方式には、液
晶の焼付きや劣化を防ぐため、各画素電極に印加される電圧極性を所定規則で反転させる
反転駆動方式が採用されている。このうち画素電極に供給する画像信号の極性を、所定電
位を基準として正極性と負極性とに１水平走査期間毎に反転させる１Ｈ反転駆動方式が、
制御が比較的容易であり高品位の画像表示を可能ならしめる反転駆動方式として用いられ
る。
【０００３】
このようなデータ線駆動回路や走査線駆動回路に対しては、その駆動動作の基本となる
クロック信号とこれに対して位相が反転している反転クロック信号とが、外部回路から供
給される。この際、クロック信号と反転クロック信号との位相は、正確に反転位相である
ことが望ましいため、基板上には更に、両クロック信号の位相を反転位相にするように補
正する位相差補正回路が設けられる（特許文献１参照）。
【０００４】
【特許文献１】特開２００４−１２６５５１号公報
【発明の開示】
【発明が解決しようとする課題】
【０００５】
このような電気光学装置の駆動時には、画像信号は、画像信号線からデータ線を介して
、画素電極へ供給される。ここで特に、画像信号線に極性が反転された画像信号が供給さ
れると、画像信号と既にデータ線に保持されていたデータ線電位との電位差に起因して、
データ線電位にカップリングノイズが発生してしまうおそれがある。このようなデータ線
電位におけるカップリングノイズは、データ線と画素スイッチング素子を介して電気的に
接続された画素電極に及んでしまう。更に、走査線からの走査信号が立ち下がるタイミン
グに応じて画素スイッチング素子がオフ状態とされることで所望の電位からずれた電位が
画素電極において保持されてしまうおそれがあるという技術的問題点がある。
【０００６】
本発明は、例えば上述した問題点に鑑みなされたものであり、画像信号の極性が反転す
る際に生じるカップリングノイズによる画素電圧の変動を低減でき、高品質な画像を表示
可能な電気光学装置及びその駆動方法、並びに該電気光学装置を備えた電子機器を提供す
ることを課題とする。
【課題を解決するための手段】
【０００７】
本発明の電気光学装置は上記課題を解決するために、基板上に、複数の画素電極と、該
複数の画素電極が設けられた画素領域に互いに交差するように配線された複数の走査線及
び複数のデータ線と、１水平走査期間毎に電位が所定電位に対して高位側の正極性と低位
側の負極性とで極性反転する画像信号が供給される画像信号線と、該画像信号線に供給さ
れる画像信号をサンプリング信号に応じて前記複数のデータ線に夫々供給する複数のサン
プリングスイッチを含んでなるサンプリング回路と、前記複数のデータ線に対して前記画
像信号を供給すべきタイミングで前記サンプリング信号を出力するデータ線駆動回路と、
前記複数の走査線及び複数のデータ線に電気的に接続されており、前記複数のデータ線か
ら前記複数の画素電極へ夫々供給される前記画像信号をスイッチング制御する複数のスイ
ッチング素子と、前記複数の走査線の各々に、前記画像信号が極性反転するタイミングに
対して所定期間だけずれたタイミングで前記スイッチング素子をオン状態からオフ状態に
切り換る走査信号を供給する走査線駆動回路とを備える。
【０００８】
本発明の電気光学装置によれば、その動作時には、画像信号が複数のサンプリングスイ
ッチに供給される。より具体的には、画像信号が、画像信号線に供給され、更に、複数の
データ線に夫々電気的に接続された複数のサンプリングスイッチを含んでなるサンプリン
グ回路へと供給される。尚、画像信号は、駆動周波数の上昇を抑えつつ高精細な画像表示
を実現すべく、外部回路によって、シリアルな画像信号が、３相、６相、１２相、２４相
、・・・など、複数のパラレルなＮ系列の画像信号に変換され、Ｎ本の画像信号線に供給
されてもよい。
【０００９】
画像信号の供給と並行して、データ線駆動回路によって、サンプリングスイッチ毎に、
サンプリング信号が順次供給される。すると、複数のサンプリングスイッチがオン状態と
なり、複数のデータ線には、サンプリング信号に応じてデータ線毎に画像信号が順次供給
される。これにより、各データ線に電気的に接続されたスイッチング素子に画像信号が供
給されることになる。尚、サンプリングスイッチは、片チャネル型或いは相補型の薄膜ト
ランジスタにより夫々構成され、ソースが画像信号線に電気的に接続され、ドレインがデ
ータ線に電気的に接続され、ゲートにサンプリング信号が供給されることでオン状態とさ
れる。
【００１０】
このようにして画像信号が供給されたスイッチング素子は、走査線駆動回路から走査線
を介して供給されるパルス状の走査信号に応じて、画像信号のスイッチング動作を行う。
これにより、画像信号は、データ線を介して画素電極に供給され、画素電極に対応する例
えば液晶素子等の表示素子は供給された画像信号に基づいて画像表示を行う。
【００１１】
本発明では、画像信号は、１水平走査期間毎に電位の極性が、例えば共通固定電位或い
は接地電位等の所定電位に対して反転する。即ち、走査線の選択順序（即ち、走査線に走
査信号が供給される順序）に応じて、例えばライン反転駆動や部分領域毎に反転駆動され
る領域反転駆動等が行われる。尚、走査線の選択順序は、任意の順序でよい。
【００１２】
ここで特に、画像信号線に供給される画像信号の極性が反転する際、画像信号線とデー
タ線との電位差に起因したデータ線電位におけるカップリングノイズが無視し得ない程度
に発生する。この際、走査線駆動回路によって選択される走査線は、一の走査線から他の
走査線に切り替えられる、即ち、一の走査線に供給されていた走査信号の波形の立ち下が
るタイミング（即ち、一の走査線に電気的に接続されたスイッチング素子がオフ状態とさ
れるタイミング）が、データ線電位におけるカップリングノイズが発生している期間中に
位置することになる。このため、データ線電位におけるカップリングノイズが、スイッチ
ング素子を介して一の走査線に電気的に接続された画素電極に及び、更にスイッチング素
子がオフ状態とされることで所望の電位からずれた電位が画素電極において保持されてし
まう、言い換えれば、データ線電位におけるカップリングノイズによる画素電極の電位へ
の悪影響が、例えば１フレーム期間（即ち、画像表示における１画面を表示する期間）保
持されてしまう。これにより、画像表示において、シミやムラ或いはスジ状の表示不良が
発生してしまうおそれがある。
【００１３】
しかるに本発明の電気光学装置によれば、走査信号がスイッチング素子をオン状態から
オフ状態に切り換えるタイミング（言い換えれば、走査信号の波形が立ち下がるタイミン
グ）は、画像信号線に供給される画像信号の極性が反転するタイミングに対して所定期間
だけずれている。即ち、画像信号線に供給される画像信号の極性が反転する前に選択され
た一の走査線に電気的に接続されたスイッチング素子がオン状態からオフ状態とされるタ
イミングは、画像信号線に供給される画像信号の極性が反転するタイミングに対して、所
定期間だけ前又は後にずれている。より具体的には、画像信号線に供給される画像信号の
極性が反転する前に選択された一の走査線に電気的に接続されたスイッチング素子がオフ
状態とされるタイミングは、上述したデータ線電位におけるカップリングノイズが発生し
始めるタイミングよりも前にずれている、或いは、上述したデータ線電位におけるカップ
リングノイズが発生した後にその影響が殆ど或いは完全になくなるタイミング（即ち、デ
ータ線電位或いは画素電極の電位が所望の電位となるタイミング）よりも後にずれている
。よって、画像信号線に供給される画像信号の極性が反転する前に選択された一の走査線
に電気的に接続されたスイッチング素子は、データ線電位或いは画素電極の電位が所望の
電位となっている状態で、オン状態からオフ状態へと切り替えられる（言い換えれば、デ
ータ線電位におけるカップリングノイズが発生する前、或いは、データ線電位におけるカ
ップリングノイズが落ち着いた後にオン状態からオフ状態へと切り替えられる）。従って
、データ線電位におけるカップリングノイズの影響が、画素電極の電位（言い換えれば、
画素電圧）として保持されることを低減或いは防止できる。これにより、画像表示のおけ
るシミやムラ或いはスジ状の表示不良が発生するのを低減或いは防止でき、高品質な画像
表示が可能となる。
【００１４】
本発明の電気光学装置の一態様では、前記スイッチング素子は、前記走査信号の波形が
立ち下がるタイミングで前記オフ状態となり、前記立ち下がるタイミングは、前記極性反
転するタイミングよりも前である。
【００１５】
この態様によれば、画像信号の極性が反転する際のデータ線電位におけるカップリング
ノイズが発生する前に、画像信号線に供給される画像信号の極性が反転する前に選択され
た一の走査線に供給された走査信号が立ち下がる（即ち、一の走査線に電気的に接続され
たスイッチング素子がオン状態からオフ状態へと切り替えられる）。よって、データ線電
位におけるカップリングノイズの影響が、画素電極の電位に及ぶことを低減或いは防止で
きる。
【００１６】
本発明の電気光学装置の他の態様では、前記スイッチング素子は前記走査信号の波形が
立ち下がるタイミングで前記オフ状態となり、前記立ち下がるタイミングは、前記極性反
転するタイミングよりも後である。
【００１７】
この態様によれば、データ線電位におけるカップリングノイズが落ち着いた後に、画像
信号線に供給される画像信号の極性が反転する前に選択された一の走査線に供給された走
査信号が立ち下がる（即ち、一の走査線に電気的に接続されたスイッチング素子がオン状
態からオフ状態へと切り替えられる）。よって、データ線電位におけるカップリングノイ
ズの影響が、画素電極の電位として保持されることを低減或いは防止できる。
【００１８】
上述した立ち下がるタイミングが極性反転するタイミングよりも前である態様では、前
記極性反転するタイミングよりも前記所定期間だけ前に波形が立ち下がるイネーブル信号
を、前記走査線駆動回路に供給するイネーブル信号線を備え、前記走査線駆動回路は、所
定周期のクロック信号に基づいて複数の段から夫々転送信号を順次出力するシフトレジス
タと、前記順次出力された転送信号の各パルスを、前記イネーブル信号を用いて整形する
論理回路とを含むように構成してもよい。
【００１９】
この場合には、論理回路によって、シフトレジスタから出力される転送信号と、イネー
ブル信号線から供給されるイネーブル信号との例えば論理積が出力される。走査線駆動回
路は、この出力された論理積を、走査信号として走査線に出力する。よって、走査信号の
波形が立ち下がるタイミングを、画像信号に供給される画像信号の極性が反転するタイミ
ングよりも所定期間だけ前に波形が立ち下がるイネーブル信号によって規定することがで
きる。即ち、イネーブル信号によって、走査信号の波形が立ち下がるタイミングが極性反
転するタイミングよりも所定期間だけ前となるように制御できる。従って、データ線電位
におけるカップリングノイズの影響が、画素電極の電位に及ぶことを低減或いは防止でき
る。
【００２０】
上述した立ち下がるタイミングが極性反転するタイミングよりも後である態様では、前
記立ち下がるタイミングを規定する所定周期のクロック信号が供給されるクロック信号線
と、前記クロック信号線と前記走査線駆動回路との間に電気的に接続された抵抗体とを備
えるようにしてもよい。
【００２１】
この場合には、クロック信号が抵抗体を流れる際に、クロック信号の信号波形が鈍る。
よって、クロック信号の立ち下がるタイミングを遅延させることができる。よって、立ち
下がるタイミングが遅延されたクロック信号によって、走査信号の立ち下がるタイミング
を、画像信号に供給される画像信号の極性が反転するタイミングよりも所定期間だけ後に
なるように、制御できる。従って、データ線電位におけるカップリングノイズの影響が、
画素電極の電位として保持されることを低減或いは防止できる。
【００２２】
本発明の電気光学装置の駆動方法は、基板上に、複数の画素電極と、該複数の画素電極
が設けられた画素領域に互いに交差するように配線された複数の走査線及び複数のデータ
線と、画像信号が供給される画像信号線と、該画像信号線に供給される画像信号をサンプ
リング信号に応じて前記複数のデータ線に夫々供給する複数のサンプリングスイッチを含
んでなるサンプリング回路と、前記複数のデータ線に対して前記サンプリング信号を出力
するデータ線駆動回路と、前記複数の走査線及び複数のデータ線に電気的に接続されてお
り、前記複数のデータ線から前記複数の画素電極へ夫々供給される前記画像信号をスイッ
チング制御する複数のスイッチング素子と、前記複数の走査線の各々に走査信号を出力す
る走査線駆動回路とを備えた電気光学装置を駆動する電気光学装置の駆動方法であって、
前記画像信号を、１水平走査期間毎に電位が所定電位に対して高位側の正極性と低位側の
負極性とで極性反転するように、前記画像信号線に供給する過程と、前記複数のスイッチ
ング素子が、前記複数の画素電極に前記画像信号を供給すべきタイミングで、オン状態と
なるように、且つ、該オン状態とされたスイッチング素子が、前記極性反転するタイミン
グに対して所定期間だけずれたタイミングで、オフ状態となるように、前記走査信号を、
前記複数の走査線の各々を介して前記複数のスイッチング素子に供給する過程とを含む。
【００２３】
本発明の電気光学装置の駆動方法によれば、上述した本発明の電気光学装置と同様に、
画像信号線に供給される画像信号の極性が反転する際に生じ得るデータ線電位におけるカ
ップリングノイズの影響が、画素電極の電位（言い換えれば、画素電圧）として保持され
ることを低減或いは防止できる。これにより、画像表示におけるシミやムラ或いはスジ状
の表示不良が発生するのを低減或いは防止でき、高品質な画像表示が可能となる。
【００２４】
本発明の作用及び他の利得は次に説明する実施するための最良の形態から明らかにされ
る。
【発明を実施するための最良の形態】
【００２５】
以下では、本発明の実施形態について図を参照しつつ説明する。以下の実施形態では、
本発明の電気光学装置の一例である駆動回路内蔵型のＴＦＴアクティブマトリクス駆動方
式の液晶装置を例にとる。
＜第１実施形態＞
第１実施形態に係る液晶装置について、図１から図１１を参照して説明する。
【００２６】
先ず、本実施形態に係る液晶装置における、電気光学パネルの一例としての液晶パネル
の全体構成について、図１及び図２を参照して説明する。ここに図１は、本実施形態に係
る液晶パネルの構成を示す平面図であり、図２は、図１のＨ−Ｈ´線での断面図である。
【００２７】
図１及び図２において、本実施形態に係る液晶パネル１００では、ＴＦＴアレイ基板１
０と対向基板２０とが対向配置されている。ＴＦＴアレイ基板１０と対向基板２０との間
に液晶層５０が封入されており、ＴＦＴアレイ基板１０と対向基板２０とは、画像表示領
域１０ａの周囲に位置するシール領域に設けられたシール材５２により相互に接着されて
いる。
【００２８】
図１において、シール材５２が配置されたシール領域の内側に並行して、画像表示領域
１０ａの額縁領域を規定する遮光性の額縁遮光膜５３が、対向基板２０側に設けられてい
る。周辺領域のうち、シール材５２が配置されたシール領域の外側に位置する領域には、
データ線駆動回路１０１及び外部回路接続端子１０２がＴＦＴアレイ基板１０の一辺に沿
って設けられている。この一辺に沿ったシール領域よりも内側に、サンプリング回路７が
額縁遮光膜５３に覆われるようにして設けられている。また、走査線駆動回路１０４は、
この一辺に隣接する２辺に沿ったシール領域の内側に、額縁遮光膜５３に覆われるように
して設けられている。更に、このように画像表示領域１０ａの両側に設けられた二つの走
査線駆動回路１０４間をつなぐため、ＴＦＴアレイ基板１０の残る一辺に沿い、且つ、額
縁遮光膜５３に覆われるようにして複数の配線１０５が設けられている。また、ＴＦＴア
レイ基板１０上には、対向基板２０の４つのコーナー部に対向する領域に、両基板間を上
下導通材１０７で接続するための上下導通端子１０６が配置されている。これらにより、
ＴＦＴアレイ基板１０と対向基板２０との間で電気的な導通をとることができる。
【００２９】
ＴＦＴアレイ基板１０上には、外部回路接続端子１０２と、データ線駆動回路１０１、
走査線駆動回路１０４、上下導通端子１０６等とを電気的に接続するための引回配線９０
が形成されている。
【００３０】
図２において、ＴＦＴアレイ基板１０上には、画素スイッチング用ＴＦＴ（Thin Film 
Transistor）や走査線、データ線等の配線が作り込まれた積層構造が形成される。画像表
示領域１０ａには、画素スイッチング用ＴＦＴや走査線、データ線等の配線の上層に画素
電極９ａが設けられている。他方、対向基板２０におけるＴＦＴアレイ基板１０との対向
面上に、遮光膜２３が形成されている。そして、遮光膜２３上に、ＩＴＯ等の透明材料か
らなる対向電極２１が複数の画素電極９ａと対向して形成される。また、液晶層５０は、
例えば一種又は数種類のネマティック液晶を混合した液晶からなり、これら一対の配向膜
間で、所定の配向状態をとる。
【００３１】
尚、ここでは図示しないが、ＴＦＴアレイ基板１０上には、データ線駆動回路１０１、
走査線駆動回路１０４の他に、後述するＹクロック信号の波形が立ち下がるタイミングを
遅延させるための抵抗体、位相差補正回路等が形成されている。これに加えて、製造途中
や出荷時の当該液晶装置の品質、欠陥等を検査するための検査回路、検査用パターン等が
形成されていてもよい。
【００３２】
次に、本実施形態に係る液晶装置の全体構成について、図３を参照して説明する。ここ
に、図３は、液晶装置の全体構成を示すブロック図である。
【００３３】
図３に示すように、液晶装置は、液晶パネル１００を備えると共に、外部回路として設
けられた画像信号供給回路３００、タイミング制御回路４００、及び電源回路７００を備
える。
【００３４】
タイミング制御回路４００は、各部で使用される各種タイミング信号を出力するように
構成されている。タイミング制御回路４００の一部であるタイミング信号出力手段により
、最小単位のクロックであり各画素を走査するためのドットクロックが作成され、このド
ットクロックに基づいて、Ｙクロック信号ＣＬＹ、反転Ｙクロック信号ＣＬＹｉｎｖ、Ｘ
クロック信号ＣＬＸ、反転Ｘクロック信号ＸＣＬｉｎｖ、ＹスタートパルスＤＹ及びＸス
タートパルスＤＸが生成される。
【００３５】
画像信号供給回路３００には、外部から１系統の入力画像データＤＡＴＡが入力される
。画像信号供給回路３００は、入力画像データＤＡＴＡを、１水平走査期間毎に電位が所
定の基準電位に対して正極性及び負極性に反転するように変換して、画像信号ＶＩＤを生
成する。尚、画像信号供給回路３００は、１系統の入力画像データＤＡＴＡをシリアル−
パラレル変換して、例えば６相、９相、１２相、２４相、４８相、９６相、・・・などｎ
相の画像信号ＶＩＤ１〜ＶＩＤｎを生成するようにしてもよい。
【００３６】
電源回路７００は、所定の共通電位ＬＣＣの共通電源を、図２を参照して上述した対向
電極２１に供給する。対向電極２１は、対向基板２０における複数の画素電極９ａと対向
する側に形成されている。
【００３７】
次に、液晶パネル１００における電気的な構成について、図４を参照して説明する。こ
こに図４は、液晶パネルの電気的な構成を示すブロック図である。
【００３８】
図４に示すように、液晶パネル１００には、そのＴＦＴアレイ基板１０上の周辺領域に
、走査線駆動回路１０４、データ線駆動回路１０１、サンプリング回路７を含む内部駆動
回路が設けられている。
【００３９】
走査線駆動回路１０４には、Ｙクロック信号ＣＬＹ、反転Ｙクロック信号ＣＬＹｉｎｖ
、及びＹスタートパルスＤＹが供給される。走査線駆動回路１０４は、Ｙスタートパルス
ＤＹが入力されると、Ｙクロック信号ＣＬＹ及び反転Ｙクロック信号ＣＬＹｉｎｖに基づ
くタイミングで、走査信号Ｇｉ（但し、ｉ＝１、・・・、ｍ）を順次生成して出力する。
【００４０】
データ線駆動回路１０１には、Ｘクロック信号ＣＬＸ、反転Ｘクロック信号ＣＬＸｉｎ
ｖ、及びＸスタートパルスＤＸが供給される。データ線駆動回路１０１は、Ｘスタートパ
ルスＤＸが入力されると、Ｘクロック信号ＣＬＸ及び反転Ｘクロック信号ＸＣＬＸｉｎｖ
に基づくタイミングで、サンプリング信号Ｓｉ（但し、ｉ＝１、２、・・・、ｎ）を順次
生成して出力する。
【００４１】
サンプリング回路７は、データ線６ａ毎に設けられた複数のサンプリングスイッチ７１
を備えている。各サンプリングスイッチ７１には、画像信号ＶＩＤが供給され、データ線
駆動回路１０１から出力されるサンプリング信号Ｓｉにより各サンプリングスイッチ７１
は順次閉じられる。即ち、画像信号ＶＩＤをデータ線６ａ毎にサンプリング信号Ｓｉに応
じてサンプリングして、複数のデータ線６ａにデータ信号Ｄｉ（但し、ｉ＝１、２、・・
・、ｎ）として夫々印加するように構成されている。
【００４２】
より具体的には、サンプリングスイッチ７１は、例えばＰチャネル型又はＮチャネル型
の片チャネル型ＴＦＴ若しくは相補型のＴＦＴから構成されており、画像信号線６がサン
プリングスイッチ７１のソース電極に接続されており、サンプリング信号線９７がサンプ
リングスイッチ７１のゲート電極に接続されている。そして、画像信号線６を介して画像
信号ＶＩＤが入力されると共にサンプリング信号線９７を介してデータ線駆動回路１０１
からサンプリング信号Ｓｉが入力されると、画像信号ＶＩＤをサンプリングして、各デー
タ線６ａにデータ信号Ｄｉとして印加するように構成されている。
【００４３】
図４に示すように、ＴＦＴアレイ基板１０の画像表示領域１０ａを構成するマトリクス
状に形成された複数の画素には、それぞれ、画素電極９ａと該画素電極９ａをスイッチン
グ制御するためのＴＦＴ３０とが形成されており、データ信号Ｄｉが供給されるデータ線
６ａが当該ＴＦＴ３０のソースに電気的に接続されている。データ線６ａに書き込むデー
タ信号Ｄｉは、この順に線順次に供給しても構わないし、相隣接する複数のデータ線６ａ
同士に対して、グループ毎に供給するようにしてもよい。尚、ＴＦＴ３０は、本発明に係
る「複数のスイッチング素子」の一例である。
【００４４】
また、ＴＦＴ３０のゲートに走査線１１ａが電気的に接続されている。走査線１１ａに
は、走査線駆動回路１０４から所定のタイミングで走査信号Ｇ１、Ｇ２、…、Ｇｍが、こ
の順に線順次で印加されるように構成されている。尚、本実施形態では、説明の簡単のた
め、走査信号Ｇ１、Ｇ２、…、Ｇｍがこの順に線順次で走査線１１ａに印加されるように
構成しているが、走査信号Ｇｉ（但し、ｉ＝１、２、・・・、ｍ）が走査線１１ａに印加
される順序は、任意の順序であってもよい。画素電極９ａは、ＴＦＴ３０のドレインに電
気的に接続されており、スイッチング素子であるＴＦＴ３０を一定期間だけそのスイッチ
を閉じることにより、データ線６ａから供給されるデータ信号Ｄｉを所定のタイミングで
書き込む。
【００４５】
画素電極９ａを介して液晶に書き込まれた所定レベルのデータ信号Ｄｉ（但し、ｉ＝１
、２、・・・、ｎ）は、対向基板２０（図２参照）に形成された対向電極２１（図２参照
）との間で一定期間保持される。液晶は、印加される電圧レベルにより分子集合の配向や
秩序が変化することにより、光を変調し、階調表示を可能とする。ノーマリーホワイトモ
ードであれば、各画素の単位で印加された電圧に応じて入射光に対する透過率が減少し、
ノーマリーブラックモードであれば、各画素の単位で印加された電圧に応じて入射光に対
する透過率が増加され、全体として液晶装置からは画像信号に応じたコントラストをもつ
光が出射する。
【００４６】
ここで保持された画像信号がリークするのを防ぐために、画素電極９ａと対向電極２１
との間に形成される液晶容量と並列に蓄積容量７０が付加されている。蓄積容量７０の一
方の電極は、画素電極９ａと並列してＴＦＴ３０のドレインに接続され、他方の電極は、
定電位となるように、電位固定の容量配線４００に接続されている。
【００４７】
更に、図４に示すように、液晶パネル１００のＴＦＴアレイ基板１０上の周辺領域には
、Ｘクロック信号ＣＬＸ及び反転Ｘクロック信号ＣＬＸｉｎｖが供給される入力部とデー
タ線駆動回路１０１との間に、位相差補正回路５００が設けられており、タイミング制御
回路４００（図３参照）から供給されるＸクロック信号ＣＬＸ及び反転クロック信号ＣＬ
Ｘｉｎｖの位相を、位相差補正回路５００によって合わせ、その後にデータ線駆動回路１
０１に供給するように構成されている。
【００４８】
同様に、走査線駆動回路１０４においても、Ｙクロック信号ＣＬＹ及び反転Ｙクロック
信号ＣＬＹｉｎｖが供給される入力部と走査線駆動回路１０４との間に、位相差補正回路
５００が設けられており、タイミング制御回路４００（図３参照）から供給されるＹクロ
ック信号ＣＬＹ及び反転Ｙクロック信号ＣＬＹｉｎｖの位相を、位相差補正回路５００に
よって合わせ、その後に走査線駆動回路１０４に供給するように構成している。
【００４９】
従って、データ線駆動回路１０１及び走査線駆動回路１０４の誤動作を生じさせること
なく各画素への良好な画像信号ＶＩＤの書き込み動作が行われる。
【００５０】
尚、本実施形態では特に、Ｙクロック信号ＣＬＹ及び反転Ｙクロック信号ＣＬＹｉｎｖ
が供給される入力部と位相差補正回路５００との間には、抵抗体４１０が夫々設けられて
いる。後述するように、抵抗体４１０によって、Ｙクロック信号ＣＬＹ及び反転Ｙクロッ
ク信号ＣＬＹｉｎｖの立ち下がるタイミングを遅らせることができる。
【００５１】
次に、本実施形態に係る位相差補正回路の構成及び動作について、図５を参照して更に
詳しく説明する。ここに図５（ａ）は、位相差補正回路の構成を示す回路図であり、図５
（ｂ）は図５（ａ）の回路における各位置の信号波形を示す図である。
【００５２】
図５（ａ）に示すように、位相差補正回路５００は、第１バッファー回路５０１と、双
安定回路５０２と、第２バッファー回路５０３とから構成されており、各回路はインバー
タ５０１ａ、５０１ｂ、５０２ａ、５０２ｂ、５０３ａ及び５０３ｂにより構成されてい
る。
【００５３】
図５（ｂ）に示すように、クロック信号ＣＬが反転クロック信号ＣＬｉｎｖに対し、Ｒ
１及びＲ１´の地点で期間ΔＴ１だけ位相差が生じたとしても、双安定回路５０２により
、位相差が補正され、当該双安定回路５０２から出力した地点Ｒ３及びＲ３´では位相差
が発生しない。
【００５４】
図５（ａ）において、位相差補正回路５００では、インバータ５０１ａ、５０１ｂから
構成されるバッファー回路５０１において、クロック信号ＣＬと逆位相クロック信号ＣＬ
ｉｎｖを供給する回路の駆動能力を補うと共に、双安定回路５０２の一方のインバータ５
０２ａの出力を他方のインバータ５０２ｂの入力に、また他方のインバータ５０２ｂの出
力を前記一方のインバータ５０２ａの入力に夫々供給することによって、夫々のインバー
タ５０２ａ、５０２ｂの入力信号に正帰還をかけて前記位相差を無くす構成となっている
。
【００５５】
また、位相差補正回路５００においては、双安定回路５０２の後に、第２バッファー回
路５０３を設けられている。この第２バッファー回路５０３の働きにより、双安定回路５
０２の駆動能力の低下を防止している。
【００５６】
次に、本実施形態に係る液晶装置の駆動方法について、図６から図１１を参照して説明
する。ここに図６は、走査信号の供給タイミングを示すタイミングチャートであり、図７
は、画面上の画素電極の極性の変化を表した説明図である。
【００５７】
図６に示すように、走査線線駆動回路１０４は、走査信号印加の基準クロックであるＹ
クロック信号ＣＬＹ、反転クロック信号ＣＬＹｉｎｖ及びＹスタートパルスＤＹに基づい
て生成される走査信号Ｇｉ（ｉ＝１、・・・、ｎ）を、複数の走査線１１ａに印加する。
より具体的には、垂直走査期間を規定するスタートパルスＤＹが入力されると、走査線線
駆動回路１０４は、Ｙクロック信号ＣＬＹによって規定される１水平走査期間Ｔｈ毎に、
１本の走査線１１ａに走査信号Ｇｉを順次供給する、即ち、１本の走査線１１を順次選択
する。１水平走査期間Ｔｈ毎に選択された１本の走査線１１ａとｍ本のデータ線と交点に
対応する画素電極９ａにデータ信号Ｄｉが書き込まれる。一方、画像信号線６に供給され
る画像信号ＶＩＤは、１水平走査期間Ｔｈ毎に、極性が反転する。この結果、相隣接する
走査線１１ａ毎に、画素電極９ａの電位の極性が反転するように駆動する１Ｈ反転駆動（
或いはライン反転駆動）が行われる。尚、ｍ本の走査線１１ａに走査信号Ｇｉを供給する
順序は、任意の順序でよい。また、１水平走査期間Ｔｈの始まりには、表示に寄与しない
水平帰線期間Ｔｂが設けられている。
【００５８】
即ち、図７に示すように、ある１水平走査期間に着目すると、例えば走査信号Ｇ１、Ｇ
３、Ｇ５、・・・、Ｇ２ｋ＋１に走査される画素電極９ａは正極性の電位のデータ信号が
書き込まれた状態となり、走査信号Ｇ２、Ｇ４、Ｇ６、・・・、Ｇ２ｋに走査される画素
電極９ａは負極性の電位のデータ信号が書き込まれた状態となるというように、画面内の
、画素電極９ａには１本の走査線１１ａ毎に正極性の電位と負極性の電位とが交互に書き
込まれた状態となる。
【００５９】
図８は、比較例における、データ線電位におけるカップリングノイズよる画素電位の変
動を示すタイミングチャートである。
【００６０】
図８に比較例として示すように、仮に何らの対策も施さない場合には、上述したような
１Ｈ反転駆動において生じ得るデータ線６ａの電位Ｄ´ｋ（即ち、データ線電位Ｄ´ｋ）
におけるカップリングノイズによる悪影響が画素電極９ａの電位Ｑｉ（即ち、画素電位Ｑ
ｉ）として保持されてしまう可能性がある。尚、データ線電位Ｄ´ｋは、データ信号Ｄｋ
が供給されるデータ線６ａの電位を意味し、サンプリングスイッチ７１がオフ状態である
間は、通常データ信号Ｄｋの電位に保持される。また、画素電位Ｑｉは、走査信号Ｇｉが
供給される走査線１１ａ及びデータ信号Ｄｋが供給されるデータ線６ａに電気的に接続さ
れる画素電極９ａの電位を意味する。
【００６１】
即ち、図４及び図８において、上述したような１Ｈ反転駆動では、画像信号線６に供給
される画像信号ＶＩＤの極性が反転する際、画像信号線６とデータ線６ａとの電位差（即
ち、画像信号ＶＩＤとデータ線電位Ｄ´ｋとの電位差）に起因したデータ線電位Ｄ´ｋに
おけるカップリングノイズが無視し得ない程度に発生する。より具体的には、例えば、第
１の水平走査期間に、１本の走査線１１ａとｎ本のデータ線６ａと交点に対応する画素電
極９ａに正極性の画像信号ＶＩＤに基づくデータ信号Ｄｉが書き込まれた後には、ｎ本の
データ線６ａと電気的に接続されたｎ個のサンプリングスイッチ７１はすべてオフ状態で
あると共にデータ線電位Ｄ´ｋはデータ信号Ｄｉの電位に保持されている。続いて、第２
の水平走査期間が始まると、負極性の画像信号ＶＩＤが画像信号線６に供給される。この
際、正極性であるデータ線電位Ｄ´ｋと負極性である画像信号線６の電位（即ち、画像信
号ＶＩＤの電位）との間に、比較的大きな電位差が生じるため、オフ状態とされたサンプ
リングスイッチ７１を介して、データ線電位Ｄ´ｋにおいてカップリングノイズが生じて
しまう。
【００６２】
尚、本実施形態では、画像信号ＶＩＤの電位は、例えば７Ｖとして設定される共通電位
ＬＣＣを基準として、例えば±５Ｖの範囲で極性が反転する。即ち、画像信号ＶＩＤは、
例えば、最大１２Ｖの電位差分だけ変化する。よって、データ線電位Ｄ´ｋと画像信号線
６の電位との間には最大１２Ｖの電位差が生じ得る。
【００６３】
一方、画像信号線６に供給される画像信号ＶＩＤの極性が反転する際、走査線駆動回路
１０４によって選択される走査線１１ａは、一の走査線１１ａから他の走査線１１ａに切
り替えられる、即ち、一の走査線１１ａに供給されていた走査信号Ｇｉの波形が立ち下が
るタイミング（即ち、一の走査線１１ａに電気的に接続されたＴＦＴ３０がオフ状態とさ
れるタイミング）は、データ線電位Ｄ´ｋにおけるカップリングノイズが発生している期
間中に位置することになる。このため、データ線電位Ｄ´ｋにおけるカップリングノイズ
は、ＴＦＴ３０を介して一の走査線１１ａに電気的に接続された画素電極９ａに及び、Ｔ
ＦＴ３０がオフ状態とされることで所望の電位（即ち、カップリングノイズが発生する前
のデータ線電位Ｄ´ｋ）から電位差ΔＶだけずれた電位が画素電位Ｑｉとして保持されて
しまう、言い換えれば、データ線電位Ｄ´ｋにおけるカップリングノイズによる画素電位
Ｑｉへの悪影響が、例えば１フレーム期間（即ち、画像表示における１画面を表示する期
間）保持されてしまう。これにより、画像表示において、シミやムラ或いはスジ状の表示
不良が発生してしまうおそれがある。
【００６４】
しかるに、本実施形態では特に、図４を参照して上述したように、Ｙクロック信号ＣＬ
Ｙ及び反転Ｙクロック信号ＣＬＹｉｎｖが供給される入力部と位相差補正回路５００との
間には、抵抗体４１０が夫々設けられている。
【００６５】
図９には、本実施形態に係るＹクロック信号及び反転Ｙクロック信号の入力部から走査
線駆動回路に至るまでの回路構成が示されている。図１０には、図９の回路における各位
置でのＹクロック信号の波形の立ち下がりが示されている。
【００６６】
図９に示すように、Ｙクロック信号ＣＬＹが供給される入力部と位相差補正回路５００
との間には抵抗体４１０ａが設けられており、反転Ｙクロック信号ＣＬＹｉｎｖが供給さ
れる入力部と位相差補正回路５００との間には、抵抗体４１０ｂが設けられている。よっ
て、Ｙクロック信号ＣＬＹは、抵抗体４１０ａ及び位相差補正回路５００を介して、走査
線駆動回路１０４に供給され、反転Ｙクロック信号ＣＬＹｉｎｖは、抵抗体４１０ｂ及び
位相差補正回路５００を介して、走査線駆動回路に供給される。
【００６７】
図１０に示すように、タイミング制御回路４００（図３参照）から入力されたＹクロッ
ク信号ＣＬＹは、抵抗体４１０ａによって、信号波形の立ち下がりに鈍りが生じる、即ち
、地点Ｐ２でのＹクロック信号ＣＬＹの信号波形の立ち下がりは、地点Ｐ１でのＹクロッ
ク信号ＣＬＹの信号波形の立ち下がりと比較して鈍る。言い換えれば、地点Ｐ２でのＹク
ロック信号ＣＬＹは、抵抗体４１０ａを流れた後であるので、地点Ｐ１でのＹクロック信
号ＣＬＹに比較して、立ち下がりが遅れると共に緩やかになる。
【００６８】
同様に、地点Ｐ´２での反転Ｙクロック信号ＣＬＹｉｎｖは、抵抗体４１０ｂを流れた
後であるので、地点Ｐ´１での反転Ｙクロック信号ＣＬＹに比較して、立ち下がりが遅れ
ると共に緩やかになる。
【００６９】
このように抵抗体４１０ａ及び４１０ｂによって、立ち上がりが遅れると共に緩やかに
なったＹクロック信号ＣＬＹ及び反転Ｙクロック信号ＣＬＹｉｎｖは、位相差補正回路５
００に入力され、位相差が補正される。これにより、地点Ｐ３でのＹクロック信号ＣＬＹ
は、立ち下がりが、地点Ｐ１でのＹクロック信号ＣＬＹの立ち下がりよりも所定期間ΔＴ
２だけずれた信号波形となる。同様に、地点Ｐ´３での反転Ｙクロック信号ＣＬＹｉｎｖ
は、立ち下がりが、地点Ｐ´１での反転Ｙクロック信号ＣＬＹｉｎｖの立ち下がりよりも
所定期間ΔＴ２だけずれた信号波形となる。
【００７０】
即ち、走査線駆動回路１０４には、タイミング制御回路４００（図３参照）から出力さ
れたＹクロック信号ＣＬＹ及び反転Ｙクロック信号ＣＬＹｉｎｖに比べて、波形の立ち下
がるタイミングが所定期間ΔＴ２だけ遅れたＹクロック信号ＣＬＹ及び反転Ｙクロック信
号ＣＬＹｉｎｖを供給することができるように構成されている。言い換えれば、走査線駆
動回路１０４に供給されるＹクロック信号ＣＬＹ（或いは反転Ｙクロック信号ＣＬＹｉｎ
ｖ）の波形が立ち下がるタイミングは、タイミング制御回路４００（図３参照）から出力
されたＹクロック信号ＣＬＹ及び反転Ｙクロック信号ＣＬＹｉｎｖによって規定される水
平走査期間毎に画像信号ＶＩＤが極性反転するタイミングよりも所定期間ΔＴ２だけ後に
なるように構成されている。尚、所定期間ΔＴ２は、後述するように、データ線電位にお
けるカップリングノイズがなくなるのに十分な時間として予め設定することができる。所
定期間ΔＴ２は、抵抗体４１０ａ及び４１０ｂの抵抗値によって、調整可能である。
【００７１】
図１１は、本実施形態に係る走査信号の立ち下がるタイミングを示すタイミングチャー
トである。
【００７２】
図１１において、本実施形態では特に、上述したように、走査線駆動回路１０４に供給
されるＹクロック信号ＣＬＹ（或いは反転Ｙクロック信号ＣＬＹｉｎｖ）の波形が立ち下
がるタイミングは、１水平走査期間毎に画像信号ＶＩＤが極性反転するタイミングよりも
所定期間ΔＴ２だけ後になるように構成されている。よって、走査信号Ｇｉの波形が立ち
下がるタイミングは、画像信号ＶＩＤの極性が反転するタイミングに対して所定期間ΔＴ
２だけずれている。即ち、画像信号ＶＩＤの極性が反転する前に走査信号Ｇｉが供給され
た走査線１１ａに電気的に接続されたＴＦＴ３０がオフ状態とされるタイミングは、画像
信号ＶＩＤの極性が反転するタイミングに対して、所定期間ΔＴ２だけ後にずれている。
より具体的には、画像信号ＶＩＤの極性が反転する前に走査信号Ｇｉが供給された走査線
１１ａに電気的に接続されたＴＦＴ３０がオフ状態とされるタイミングは、データ線電位
Ｄ´ｋにおけるカップリングノイズが発生した後にその影響が殆ど或いは完全になくなる
タイミング（即ち、データ線電位Ｄ´ｋ或いはこれとＴＦＴ３０を介して同電位とされる
画素電位Ｑｉが所望の電位となるタイミング）よりも後にずれている。よって、画像信号
ＶＩＤの極性が反転する前に走査信号Ｇｉが供給された走査線１１ａに電気的に接続され
たＴＦＴ３０は、データ線電位Ｄ´ｋ及び画素電位Ｑｉが所望の電位となっている状態で
、オン状態からオフ状態へと切り替えられる（言い換えれば、データ線電位Ｄ´ｋにおけ
るカップリングノイズが落ち着いた後にオン状態からオフ状態へと切り替えられる）。従
って、データ線電位Ｄ´ｋにおけるカップリングノイズの影響が、画素電位Ｑｉ（言い換
えれば、画素電圧）として保持されることを低減或いは防止できる。これにより、画像表
示のおけるシミやムラ或いはスジ状の表示不良が発生するのを低減或いは防止でき、高品
質な画像表示が可能となる。
【００７３】
図１１において、所定期間ΔＴ２は、例えば２００〜３００ｎｓに設定するとよい、即
ち、所定期間ΔＴ２が例えば２００〜３００ｎｓとなるように抵抗体４１０の抵抗値を設
定するとよい。このようにすれば、データ線電位Ｄ´ｋにおけるカップリングノイズが落
ち着いてから、画像信号ＶＩＤの極性が反転する前に走査信号Ｇｉが供給された走査線１
１ａに電気的に接続されたＴＦＴ３０が、データ線電位Ｄ´ｋ及び画素電位Ｑｉが所望の
電位となっている状態で、オン状態からオフ状態へと切り替えることができる。
【００７４】
図１１において、所定期間ΔＴ２は、画像信号ＶＩＤの極性が反転するタイミングから
次のサンプリング信号Ｓ１が供給されるタイミングまでの期間内で調整可能である。即ち
、サンプリング信号Ｓ１によって、サンプリングスイッチ７１がオン状態とされる前にお
いては、データ線６ａは画像信号線６と電気的に接続されていないので、データ線電位Ｄ
´ｋ及び画素電位Ｑｉは、所定期間ΔＴ２だけ経過することで、カップリングノイズによ
らず所望の電位となることができる。
＜第２実施形態＞
次に、第２実施形態に係る液晶装置について、図１２から図１４を参照して説明する。
ここに図１２は、第２実施形態に係る走査線駆動回路の回路構成を示す回路図である。図
１３は、第２実施形態における図６と同趣旨のタイミングチャートである。図１４は、第
２実施形態における図１１と同趣旨のタイミングチャートである。尚、図１２から図１４
において、図１から図１１に示した第１実施形態に係る構成要素と同様の構成要素に同一
の参照符合を付し、それらの説明は適宜省略する。
【００７５】
第２実施形態に係る液晶装置では、走査信号Ｇｉの波形が立ち下がるタイミングを、後
述するイネーブル信号によって、画像信号ＶＩＤの極性が反転するタイミングよりも所定
時間だけ前に立ち下がるように構成されている。
【００７６】
即ち、図１２において、走査線駆動回路１０４は、シフトレジスタ６６と、ｍ個の論理
回路６７を備える。
【００７７】
シフトレジスタ６６は、位相差補正回路５００によって位相差が補正されたＹクロック
信号ＣＬＹ及び反転Ｙクロック信号ＣＬＹに基づいて、転送信号ＳＲｉ（但し、ｉ＝１、
２、３・・・、ｍ）を出力する。尚、第２実施形態に係る液晶装置では、上述した第１実
施形態に係る液晶装置とは異なり、抵抗体４１０は設けられていない。即ち、走査線駆動
回路１０４に入力されるＹクロック信号ＣＬＹ及び反転Ｙクロック信号ＣＬＹｉｎｖの波
形が立ち下がるタイミングは、画像信号ＶＩＤの極性が反転されるタイミングと等しくな
るようになっている。
【００７８】
論理回路６７は、ｍ本の走査線１１ａの各々に対応してｍ個設けられており、転送信号
ＳＲｉとイネーブル信号ＥＮＢＹとの論理積を、走査信号Ｇｉとして走査線１１ａに出力
する。
【００７９】
イネーブル信号ＥＮＢＹは、タイミング制御回路４００によって生成され、イネーブル
信号線９２を介して走査線駆動回路１０４に供給される。
【００８０】
本実施形態では特に、イネーブル信号ＥＮＢＹの波形が立ち下がるタイミングは、Ｙク
ロック信号ＣＬＹ或いは反転Ｙクロック信号ＣＬＹｉｎｖの波形が立ち下がるタイミング
よりも所定期間ΔＴ３だけ前になるように、タイミング制御回路４００によって調整され
ている。尚、所定期間ΔＴ３は、画像信号ＶＩＤの極性が反転する際にデータ線電位にお
けるカップリングノイズが発生する前となるのに十分な時間として予め設定することがで
きる。
【００８１】
即ち、図１３に示すように、本実施形態では特に、走査信号Ｇｉは、イネーブル信号Ｅ
ＮＢＹによってパルス幅が制限（言い換えれば、立ち下がるタイミングが規定）され、そ
の立ち下がるタイミングは、画像信号ＶＩＤの極性が反転するタイミングよりも所定期間
ΔＴ３だけ前となるように構成されている。
【００８２】
より具体的には、図１４に示すように、画像信号ＶＩＤの極性が反転する前に走査信号
Ｇｉが供給された走査線１１ａに電気的に接続されたＴＦＴ３０がオフ状態とされるタイ
ミングは、データ線電位Ｄ´ｋにおけるカップリングノイズが発生し始めるタイミングよ
りも前にずれている。よって、画像信号ＶＩＤの極性が反転する前に走査信号Ｇｉが供給
された走査線１１ａに電気的に接続されたＴＦＴ３０は、データ線電位Ｄ´ｋ及び画素電
位Ｑｉが所望の電位となっている状態で、オン状態からオフ状態へと切り替えられる（言
い換えれば、データ線電位Ｄ´ｋにおけるカップリングノイズが発生する前にオン状態か
らオフ状態へと切り替えられる）。従って、データ線電位Ｄ´ｋにおけるカップリングノ
イズの影響が、画素電位Ｑｉに及ぶことを低減或いは防止できる。これにより、画像表示
のおけるシミやムラ或いはスジ状の表示不良が発生するのを低減或いは防止でき、高品質
な画像表示が可能となる。
【００８３】
図１４において、所定期間ΔＴ３は、例えば２００〜３００ｎｓに設定するとよい、即
ち、タイミング制御回路４００によって、所定期間ΔＴ３が例えば２００〜３００ｎｓと
なるようにイネーブル信号ＥＮＢＹの立ち下がるタイミングを設定するとよい。このよう
にすれば、データ線電位Ｄ´ｋにおけるカップリングノイズが発生する前に、画像信号Ｖ
ＩＤの極性が反転する前に走査信号Ｇｉが供給された走査線１１ａに電気的に接続された
ＴＦＴ３０が、データ線電位Ｄ´ｋ及び画素電位Ｑｉが所望の電位となっている状態で、
オン状態からオフ状態へと切り替えることができる。
【００８４】
図１４において、所定期間ΔＴ３は、画像信号ＶＩＤの極性が反転するタイミングの直
前に供給されたサンプリング信号Ｓｎの波形が立ち下がるタイミングから画像信号ＶＩＤ
の極性が反転するタイミングまでの期間内で調整可能である。即ち、サンプリング信号Ｓ
ｎが供給されるサンプリングスイッチ７１がオフ状態となった後においては、既に画素電
位Ｑｉは所望の電位となっているので、走査信号Ｇｉが供給された走査線１１ａに電気的
に接続されたＴＦＴ３０が、データ線電位Ｄ´ｋ及び画素電位Ｑｉが所望の電位となって
いる状態で、オン状態からオフ状態へと切り替えることができる
＜電子機器＞
次に、上述した電気光学装置である液晶装置を各種の電子機器に適用する場合について
説明する。
【００８５】
先ず、この液晶装置をライトバルブとして用いたプロジェクタについて説明する。図１
５は、プロジェクタの構成例を示す平面図である。この図１５に示されるように、プロジ
ェクタ１１００内部には、ハロゲンランプ等の白色光源からなるランプユニット１１０２
が設けられている。このランプユニット１１０２から射出された投射光は、ライトガイド
１１０４内に配置された４枚のミラー１１０６及び２枚のダイクロイックミラー１１０８
によってＲＧＢの３原色に分離され、各原色に対応するライトバルブとしての液晶パネル
１１１０Ｒ、１１１０Ｂ及び１１１０Ｇに入射される。
【００８６】
液晶パネル１１１０Ｒ、１１１０Ｂ及び１１１０Ｇの構成は、上述した液晶装置と同等
であり、画像信号処理回路から供給されるＲ、Ｇ、Ｂの原色信号でそれぞれ駆動されるも
のである。そして、これらの液晶パネルによって変調された光は、ダイクロイックプリズ
ム１１１２に３方向から入射される。このダイクロイックプリズム１１１２においては、
Ｒ及びＢの光が９０度に屈折する一方、Ｇの光が直進する。従って、各色の画像が合成さ
れる結果、投射レンズ１１１４を介して、スクリーン等にカラー画像が投写されることと
なる。
【００８７】
ここで、各液晶パネル１１１０Ｒ、１１１０Ｂ及び１１１０Ｇによる表示像について着
目すると、液晶パネル１１１０Ｇによる表示像は、液晶パネル１１１０Ｒ、１１１０Ｂに
よる表示像に対して左右反転することが必要となる。
【００８８】
尚、液晶パネル１１１０Ｒ、１１１０Ｂ及び１１１０Ｇには、ダイクロイックミラー１
１０８によって、Ｒ、Ｇ、Ｂの各原色に対応する光が入射するので、カラーフィルタを設
ける必要はない。
【００８９】
尚、図１５を参照して説明した電子機器の他にも、モバイル型のパーソナルコンピュー
タや、携帯電話、液晶テレビ、ビューファインダ型、モニタ直視型のビデオテープレコー
ダ、カーナビゲーション装置、ページャ、電子手帳、電卓、ワードプロセッサ、ワークス
テーション、テレビ電話、ＰＯＳ端末、タッチパネルを備えた装置等が挙げられる。そし
て、これらの各種電子機器に適用可能なのは言うまでもない。
【００９０】
また本発明は、上述の実施形態で説明した液晶装置以外にも、シリコン基板上に素子を
形成する反射型液晶装置（ＬＣＯＳ）、プラズマディスプレイ（ＰＤＰ）、電界放出型デ
ィスプレイ（ＦＥＤ、ＳＥＤ）、有機ＥＬディスプレイ、デジタルマイクロミラーデバイ
ス（ＤＭＤ）、電気泳動装置等にも適用可能である。
【００９１】
本発明は、上述した実施形態に限られるものではなく、請求の範囲及び明細書全体から
読み取れる発明の要旨或いは思想に反しない範囲で適宜変更可能であり、そのような変更
を伴う電気光学装置、電気光学装置の駆動方法及び該電気光学装置を備えてなる電子機器
もまた本発明の技術的範囲に含まれるものである。
【図面の簡単な説明】
【００９２】
【図１】第１実施形態に係る液晶パネルの全体構成を示す平面図である。
【図２】図１のＨ−Ｈ´線断面図である。
【図３】第１実施形態に係る液晶装置の全体構成を示すブロック図である。
【図４】第１実施形態に係る液晶パネルの電気的な構成を示すブロック図である。
【図５】（ａ）は、第１実施形態に係る位相差補正回路の構成を示す回路図であり、（ｂ）は（ａ）の回路における各位置の信号波形を示す図である。
【図６】第１実施形態に係る液晶装置の駆動方法を説明するためのタイミングチャートである。
【図７】第１実施形態に係る液晶装置の駆動方法を説明するための説明図である。
【図８】比較例における、データ線電位におけるカップリングノイズよる画素電位の変動を示すタイミングチャートである。
【図９】第１実施形態に係るＹクロック信号及び反転Ｙクロック信号の入力部から走査線駆動回路に至るまでの回路構成を示す回路図である。
【図１０】図９の回路における各位置でのＹクロック信号の波形の立ち下がりを示す図である。
【図１１】第１実施形態に係る走査信号の波形が立ち下がるタイミングを示すタイミングチャートである。
【図１２】第２実施形態に係る走査線駆動回路の回路構成を示す回路図である。
【図１３】第２実施形態における図６と同趣旨のタイミングチャートである。
【図１４】第２実施形態における図１１と同趣旨のタイミングチャートである。
【図１５】電気光学装置を適用した電子機器の一例たるプロジェクタの構成を示す平面図である。
【符号の説明】
【００９３】
６ａ…データ線、６…画像信号線、７…サンプリング回路、９ａ…画素電極、１０…Ｔ
ＦＴアレイ基板、１０ａ…画像表示領域、１１ａ…走査線、２０…対向基板、２１…対向
電極、３０…ＴＦＴ、５０…液晶層、６６…シフトレジスタ、６７…論理回路、７１…サ
ンプリングスイッチ、９２…イネーブル信号線、１０１…データ線駆動回路、１０２…外
部回路接続端子、１０４…走査線駆動回路、３００…画像信号供給回路、４００…タイミ
ング制御回路、４１０…抵抗体、５００…位相差補正回路、ＬＣＣ…共通電位、Ｓｉ…サ
ンプリング信号、Ｔｈ…１水平走査期間、Ｇｉ…走査信号、Ｄ´ｋ…データ線電位、Ｑｉ
…画素電位、ＶＩＤ…画像信号
【図１】
2007279625.tif 000003
【図２】
2007279625.tif 000004
【図３】
2007279625.tif 000005
【図４】
2007279625.tif 000006
【図５】
2007279625.tif 000007
【図６】
2007279625.tif 000008
【図７】
2007279625.tif 000009
【図８】
2007279625.tif 000010
【図９】
2007279625.tif 000011
【図１０】
2007279625.tif 000012
【図１１】
2007279625.tif 000013
【図１２】
2007279625.tif 000014
【図１３】
2007279625.tif 000015
【図１４】
2007279625.tif 000016
【図１５】
2007279625.tif 000017